【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ユーザ機器(UE)における到達可能性を維持するための方法であって、
無線接続を介する、前記UE上にインストールされた第1のアプリケーションによるピアエンティティ上にインストールされた第2のアプリケーションとの通信を管理するステップであって、前記第2のアプリケーションは、前記UEに到達可能性ステータス照会を送ることで、前記到達可能性ステータス照会に応答するために前記UEをアイドル状態から接続状態に移行させるように構成される、ステップと、
前記UEと前記ピアエンティティとの間の無線接続の変化を検出するステップであって、前記無線接続の前記変化は、前記UEが前記アイドル状態に入ることに関連付けられる、ステップと、
前記無線接続の前記変化が検出されたことに応答して、指示を前記UEから前記ピアエンティティに通信するステップであって、前記指示は、前記UEが前記アイドル状態に入ること、および前記ピアエンティティが前記アイドル状態にある間に指定持続時間中に前記UEに到達しようとすることができないことを示す、ステップと、
前記指示に基づいて前記第1のアプリケーションと前記第2のアプリケーションとの間の通信を維持する一方で、前記指示を前記ピアエンティティに通信した後に前記アイドル状態に入るステップと
を含む方法。
【請求項２】
前記指示を前記通信するステップは、前記UEのモデムプロセッサによって前記ピアエンティティのモデムプロセッサに通信するステップを含む、請求項1に記載の方法。
【請求項３】
前記無線接続の前記変化を前記検出するステップは、前記UEと前記ピアエンティティとの間の前記無線接続の利用量がしきい値を下回ることを検出するステップを含む、請求項1に記載の方法。
【請求項４】
前記無線接続の前記変化を前記検出するステップは、前記UEとサービングセルとの間の前記無線接続の品質メトリックがしきい値を下回ることを検出するステップを含む、請求項1に記載の方法。
【請求項５】
前記UEと前記サービングセルとの間の前記接続の前記品質メトリックが前記しきい値を下回ることに応答して無線回復手順を開始するステップと、
前記無線回復手順が失敗したかどうかを判断するステップと、
前記無線回復手順が失敗したとの判断に応答して前記アイドル状態に入るステップと
をさらに含む、請求項4に記載の方法。
【請求項６】
前記無線接続の前記変化を前記検出するステップは、前記UEと前記ピアエンティティとの間の前記無線接続が解放されることを検出するステップを含む、請求項1に記載の方法。
【請求項７】
前記UEにおいて、前記無線接続の前記解放を開始するステップをさらに含む、請求項6に記載の方法。
【請求項８】
前記UEと通信しているネットワークエンティティは、前記無線接続の前記解放を開始する、請求項6に記載の方法。
【請求項９】
前記UEのモデムプロセッサによって前記UEのアプリケーションプロセッサを通じて前記UE上の前記第1のアプリケーションに、前記UEが前記アイドル状態に入ることを示す指示を通信するステップをさらに含む、請求項1に記載の方法。
【請求項１０】
前記モデムプロセッサによって、前記UEが前記アイドル状態にあるときに前記アプリケーションプロセッサが前記モデムプロセッサの機能を呼び出すことを可能にするアプリケーションプログラミングインターフェースを前記アプリケーションプロセッサに提供するステップをさらに含む、請求項9に記載の方法。
【請求項１１】
ユーザ機器(UE)における到達可能性を維持するための非一時的コンピュータ可読記憶媒体であって、コンピュータによって実行される時、請求項１から１０のいずれか一項に記載の方法を実行させるコードを含む非一時的コンピュータ可読記憶媒体。
【請求項１２】
ユーザ機器(UE)における到達可能性を維持するための装置であって、
前記UE上にインストールされた第1のアプリケーションによるピアエンティティ上にインストールされた第2のアプリケーションとの通信を管理するための手段であって、前記第2のアプリケーションは、前記UEに到達可能性ステータス照会を送ることで、前記到達可能性ステータス照会に応答するために前記UEをアイドル状態から接続状態に移行させるように構成される、手段と、
前記UEと前記ピアエンティティとの間の無線接続の変化を検出するための手段であって、前記無線接続の前記変化は、前記UEが前記アイドル状態に入ることに関連付けられる、手段と、
無線状態の前記変化が検出されたことに応答して、指示を前記UEから前記ピアエンティティに通信するための手段であって、前記指示は、前記ピアエンティティが前記アイドル状態にある間に指定持続時間中に前記UEに到達しようとすることができないことを示す、手段と、
前記指示に基づいて前記第1のアプリケーションと前記第2のアプリケーションとの間の通信を維持する一方で、前記指示を前記ピアエンティティに通信した後に前記アイドル状態に入るための手段と
を含む装置。
【請求項１３】
ユーザ機器(UE)の到達可能性を処理するための方法であって、
無線接続を介する、ピアエンティティ上にインストールされた第2のアプリケーションによる前記UE上にインストールされた第1のアプリケーションとの通信を管理するステップであって、前記第2のアプリケーションは、前記UEに到達可能性ステータス照会を送ることで、前記到達可能性ステータス照会に応答するために前記UEをアイドル状態から接続状態に移行させるように構成される、ステップと、
前記ピアエンティティにおいて前記UEから、前記UEが前記アイドル状態に入ること、および前記ピアエンティティが前記アイドル状態にある間に指定持続時間中に前記UEに到達しようとすることができないことを示す指示を受信するステップであって、前記指示は、前記UEによる、前記UEが前記アイドル状態に入ることに関連する前記UEと前記ピアエンティティとの間の前記無線接続の変化の検出に応答したものである、ステップと、
前記指示に基づいて前記第2のアプリケーションと前記第1のアプリケーションとの間の通信を維持する一方で、前記指示に応答して前記指定持続時間中に前記UEに到達するのを控えるステップと
を含む方法。
【請求項１４】
ユーザ機器(UE)の到達可能性を処理するための非一時的コンピュータ可読記憶媒体であって、コンピュータによって実行される時、請求項１３に記載の方法を実行させるコードを含む非一時的コンピュータ可読記憶媒体。
【請求項１５】
ユーザ機器(UE)の到達可能性を処理するための装置であって、
無線接続を介する、ピアエンティティ上にインストールされた第2のアプリケーションによる前記UE上にインストールされた第1のアプリケーションとの通信を管理するための手段であって、前記第2のアプリケーションは、前記UEに到達可能性ステータス照会を送ることで、前記到達可能性ステータス照会に応答するために前記UEをアイドル状態から接続状態に移行させるように構成される、手段と、
前記ピアエンティティにおいて前記UEから、前記UEが前記アイドル状態に入ること、および前記ピアエンティティが前記アイドル状態にある間に指定持続時間中に前記UEに到達しようとすることができないことを示す指示を受信するための手段であって、前記指示は、前記UEによる、前記UEが前記アイドル状態に入ることに関連する前記UEと前記ピアエンティティとの間の無線接続の変化の検出に応答したものである、手段と、
前記指示に基づいて前記第2のアプリケーションと前記第1のアプリケーションとの間の通信を維持する一方で、前記指示に応答して前記指定持続時間中に前記UEに到達するのを控えるための手段と
を含む装置。